(57)【要約】【課題】画像表示装置の表示面積を増大させることなく、立体的且つ多様な表示内容を表示して遊技内容、演出にバリエーション、迫力を持たせ、充実度を高めることができる可動画像表示装置、遊技盤、及びパチンコ遊技機を提供する。【解決手段】遊技盤面と直交しない軸部３１により回転自在に軸支され、回転角度に関係なく常時前方から視認可能な複数の可動表示装置７Ａ〜７Ｄを備え、各可動表示装置は、軸部を中心として回転することにより表示面の角度を変更可能に構成されている。【選択図】図２
2010029373.tif 000002
【特許請求の範囲】
【請求項１】
遊技盤面と直交しない軸部により回転自在に軸支され、回転角度に関係なく常時前方から視認可能な複数の可動表示装置を備え、
前記各可動表示装置は、前記軸部を中心として回転することにより表示面の角度を変更可能に構成されていることを特徴とする可動画像表示装置。
【請求項２】
平行且つ一列に配置された前記軸部によって夫々回転自在に軸支された複数個の前記可動表示装置を備え、全ての該可動表示装置の表示面が前方を向いているときに各表示面が連続した一枚の画面を形成することを特徴とする請求項１に記載の可動画像表示装置。
【請求項３】
前記各軸部を中心として前記各可動表示装置を同期して、或いは個別に回転させる駆動機構を備えたことを特徴とする請求項１、又は２に記載の可動画像表示装置。
【請求項４】
前記軸部は、前記可動表示装置の対向する２つの端縁の中間部に配置されていることを特徴とする請求項１乃至３の何れか一項に記載の可動画像表示装置。
【請求項５】
前記可動表示装置は、表裏両面に表示面を有した板状体であることを特徴とする請求項１乃至４の何れか一項に記載の可動画像表示装置。
【請求項６】
前記可動表示装置は、表面に表示面を有すると共に、裏面に鏡面を有した板状体であることを特徴とする請求項１乃至４の何れか一項に記載の可動画像表示装置。
【請求項７】
前記可動表示装置は、表面に表示面を有すると共に、裏面に絵柄を有した板状体であることを特徴とする請求項１乃至４の何れか一項に記載の可動画像表示装置。
【請求項８】
隣接する前記可動表示装置は軸部により軸支されることにより屏風状に連結されることを特徴とする請求項請求項１、２、３、５乃至７の何れか一項に記載の可動画像表示装置。  
【請求項９】
前記可動表示装置の背面側に他の表示装置、或いは役物を配置したことを特徴とする請求項１乃至８の何れか一項に記載の可動画像表示装置。
【請求項１０】
請求項１乃至９の何れか一項に記載の可動画像表示装置を備えたことを特徴とする遊技盤。
【請求項１１】
請求項１０に記載の遊技盤を備えたことを特徴とするパチンコ遊技機。
【発明の詳細な説明】
【技術分野】
【０００１】
本発明は、従来、分離不能な一枚のディスプレイにより構成されていた画像表示装置を、物理的に複数枚の表示装置に分離し、且つ個々の表示装置を個別に回転動作させることにより、ディスプレイの表示内容と連動した変化に富んだ演出を実現できるようにした可動画像表示装置、遊技盤、及び遊技機に関する。
【背景技術】
【０００２】
パチンコ遊技機、スロットマシン等の各種遊技機においては、遊技盤面に設けたＬＣＤ等の画像表示装置に遊技内容と関わりのある絵柄、文字、符号等の種々の画像を表示して、遊技状況を表示したり、演出効果を発揮させるようにしている。
特許文献１乃至４には、物理的に分離不能、且つ位置固定された一枚の画像表示装置の表示面を複数の区画に分割し、各区画内に異なった画像を表示することによって表示内容の多様化を図った遊技機が開示されている。
しかし、一枚の画像表示装置の表示面を複数の区画に分け、各区画上に表示される画像を種々異ならせたとしても、所詮は画像データを種々操作して平面的な同一表示面上に表示した結果に過ぎず、立体感と、多様性と意外性を有した演出を実現するための装置構成としては限界があった。また、制御プログラム等の装置構成が複雑化してコストアップするという問題もあった。
【特許文献１】特開２００４−２５４９３７公報
【特許文献２】特開２００５−２９６２０２公報
【特許文献３】特開２００７−０６１４５７公報
【特許文献４】特開２００７−１９０１４９公報
【発明の開示】
【発明が解決しようとする課題】
【０００３】
従来、遊技機等に装備される画像表示装置は位置が固定されており、物理的に分割不能で、しかも面積が極限された平面状の表示面を複数の区画に分割するなどして、表示内容の多様化、意外性を実現していた。
しかし、平面状の同一表示面を複数の区画に分割し、各区画内に表出させる画像内容を種々変化させる場合には、立体感、多様性、迫力に乏しく、そのバリエーションに限界があった。
本発明は上記に鑑みてなされたものであり、画像表示装置の表示面積を増大させることなく、立体的且つ多様な表示内容を表示して遊技内容、演出にバリエーション、迫力を持たせ、充実度を高めることができる可動画像表示装置、遊技盤、及びパチンコ遊技機を提供することを目的としている。
また、複数に分割された可動表示装置を個別、或いは連動して動作させるばかりでなく、可動表示装置間の間隙奥部に他の表示装置、或いは役物を配置し、各表示装置に表示された画像や役物によって多様な演出を実現することを可能としている。
【課題を解決するための手段】
【０００４】
上記目的を達成するため、請求項１の発明に係る可動画像表示装置は、遊技盤面と直交しない軸部により回転自在に軸支され、回転角度に関係なく常時前方から視認可能な複数の可動表示装置を備え、前記各可動表示装置は、前記軸部を中心として回転することにより表示面の角度を変更可能に構成されていることを特徴とする。
従来は、物理的に分割不能な一枚の表示装置を固定的に配置していた。また、面積が極限された平面状の表示面を複数の区画に分割し、個々の区画内に異なった画像を表示するなどして、表示内容の多様化、意外性を図っていた。しかし、平面状の同一表示面を複数の区画に分割し、各区画内に表出させる画像内容を種々変化させる場合には、立体感、多様性に乏しく、そのバリエーションに限界があった。
本発明では、回転（回動）自在に構成された複数個の表示装置を用いて立体的な映像を作出可能な構成としたので、従来の不具合を一挙に解決することができる。可動表示装置の個数、移動方向等は種々選定可能である。
更に、複数に分割された可動表示装置を個別、或いは連動して動作させるばかりでなく、可動表示装置間の間隙奥部に他の表示装置や役物を配置し、各可動表示装置の離反時にこの他の表示装置や役物を遊技盤前方から視認できるようにしたので、各表示装置の画面に表示された各画像や、役物とのコラボレーションによって多様な演出を実現することができる。
【０００５】
請求項２の発明に係る可動画像表示装置は、請求項１において、平行且つ一列に配置された前記軸部によって夫々回転自在に軸支された複数個の前記可動表示装置を備え、全ての該可動表示装置の表示面が前方を向いているときに各表示面が連続した一枚の画面を形成することを特徴とする。
請求項３の発明に係る可動画像表示装置は、各軸部を中心として前記各可動表示装置を同期して、或いは個別に回動させる駆動機構を備えたことを特徴とする。
請求項４の発明に係る可動画像表示装置は、軸部は、前記可動表示装置の対向する２つの端縁の中間部に配置されていることを特徴とする。
この場合、各可動表示装置は、軸部を中心として自転する。
請求項５の発明に係る可動画像表示装置は、可動表示装置は、表裏両面に表示面を有した板状体であることを特徴とする。
請求項６の発明に係る可動画像表示装置は、可動表示装置は、表面に表示面を有すると共に、裏面に鏡面を有した板状体であることを特徴とする。
【０００６】
請求項７の発明に係る可動画像表示装置は、可動表示装置は、表面に表示面を有すると共に、裏面に絵柄を有した板状体であることを特徴とする。
請求項８の発明に係る可動画像表示装置は、隣接する前記可動表示装置は共通の軸部により軸支されることにより屏風状に連結したことを特徴とする。
請求項９の発明に係る可動画像表示装置は、可動表示装置の背面側に他の表示装置、或いは役物を配置したことを特徴とする
請求項１０の発明に係る遊技盤は、請求項１乃至９の何れか一項に記載の画像表示装置を備えたことを特徴とする。
請求項１１の発明に係るパチンコ遊技機は、請求項１０に記載の遊技盤を備えたことを特徴とする。
【発明の効果】
【０００７】
本発明では、回転（回動）自在に支持された複数個の可動表示装置を備えたので、画像表示装置の表示面積を増大させることなく、立体的且つ多様な表示内容を投影して遊技内容、演出にバリエーションを持たせ、充実度を高めることができる。
特に、個々の可動表示装置の回動角度を任意に調整できるように構成することにより多様性のある演出を実現できる。
【発明を実施するための最良の形態】
【０００８】
以下、本発明を図面に示した実施の形態により詳細に説明する。
図１は、本発明の実施形態に係るパチンコ遊技機の一例を示した全体正面図である。
この図に示すパチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には遊技機用ボタンスイッチや、遊技球の購入ボタン、購入取り消しボタンが設けられている。
遊技盤の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバー５を操作することにより発射装置から発射された遊技球を遊技領域３ａの上部に案内したり、アウト口１５に案内する外レールＲ１、及び内レールＲ２が設けられている。
遊技盤３のほぼ中央部には開口部６が設けられ、開口部６の内部には画像表示装置７が配置されている。画像表示装置７は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
【０００９】
開口部６の下方には、画像表示装置７の特別図柄を可変表示させるための可変入賞装置８が設けられている。
開口部６の左右両側には夫々遊技盤３の盤面上を流下する遊技球を受けるステージ部９が設けられている。ステージ部９に案内された遊技球のうち、ステージ部の所定の入口に入った遊技球は、始動入賞口１１の真上に位置する出口から遊技盤面へと出て始動入賞口１１に入賞し易くなり、残りの遊技球はステージ部９上から落下し、多くの場合始動入賞口１１に入賞しない。
また、開口部６の左側には、遊技盤の右下部に配置された図示しない普通画像表示装置に表示される普通図柄を作動させるためのゲート１３が設けられている。さらに可変入賞装置８の下方には、特別遊技状態の一つである大当たり状態のときに開成状態になる開閉扉を有する大入賞口１４が設けられている。
遊技盤３には図示しない普通入賞口やアウト口１５等が設けられていると共に、風車や図示しない多数の遊技釘が突設されている。遊技釘は、遊技球の落下速度を遅くすると共に、落下方向を複雑に変化させて遊技進行上の興趣を高めている。
【００１０】
普通画像表示装置に表示される普通図柄は、１個または複数個の図柄を変動表示可能であり、普通図柄始動口としてのゲート１３が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１３を遊技球が通過したことを条件に乱数制御により普通図柄が所定態様となった場合に、可変入賞装置８に設けられた電動式チューリップから成る可動片を所定時間、開成動作するように構成されている。
画像表示装置７に表示される特別図柄は、停止図柄が予め定められた図柄の組合せ、例えば同一図柄の組合せとなった場合に大当たり状態となるように構成されている。また特別図柄は可変入賞装置８の始動入賞口、又は電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１１】
図２（ａ）乃至（ｅ）は本発明の画像表示装置７の構成及び動作説明図である。
本発明の特徴的な構成は、画像表示装置７を、物理的に分割状態にあり且つ夫々独立して移動可能な複数個の、本例では４個の可動表示装置７Ａ〜７Ｄから構成した点にある。本例では遊技盤面と直交しない４個の軸部３１により回転自在に軸支され、回転角度に関係なく常時前方から視認可能な複数の可動表示装置７Ａ〜７Ｄを備え、各可動表示装置は、軸部３１を中心として自転することにより表示面の角度を変更可能に構成されている。
各可動表示装置７Ａ〜７Ｄは、対向する端縁、本例では上端縁と下端縁の中間部を夫々軸部３１によって回動（回転）自在に軸支されている。開口部６内には空所２０が設けられており、空所２０内のスペースを利用して各可動表示装置は回動することができる。
各可動表示装置７Ａ〜７Ｄは、駆動機構３０によって任意の方向に、任意の角度駆動される。駆動機構３０は、個々の可動表示装置を個別に駆動するように構成してもよいし、複数の可動表示装置を同期して動作させるように構成してもよい。
【００１２】
図２（ａ−１）に示した平面横断面図の状態においては、各可動表示装置７Ａ〜７Ｄは表示面７ａを前方へ向けた状態で互いの内側端縁同志を近接させることによって、恰も大面積の一枚の画像表示装置である如く視認されることができ、両可動表示装置の各表示面７ａに跨った大きな画像を投影することにより遊技者は一枚の表示装置であると錯覚する。本例では、近接位置にある各可動表示装置７Ａ〜７Ｄの各表示面７ａは連続した平坦面となっているが、各軸部３１を中心として各可動表示装置を任意の角度回転させることにより、種々の変形パターンを構築することができる。
図２（ａ−２）に示したＡ−Ａ断面図に示すように各可動表示装置７Ａ〜７Ｄは空所２０の天面板２１により支持された駆動機構３０によって任意の角度だけ、任意の方向に回動される。本例では、一方の軸部３１に軸心を固定した従動ギヤ３２をモータ３３の出力軸３４により任意の方向に回転駆動させるように構成している。異なった回転方向、異なった回転角度にて各可動表示装置７Ａ〜７Ｄを動作させたい場合には、各可動表示毎にモータ、ギヤから成る駆動機構を設ける。
また、全ての可動表示装置、或いは幾つかの可動表示装置を常に同期して動作させる場合には、一つのモータを用いてその駆動力をギヤ、或いはベルト等を用いて各可動表示装置に一括して伝達するように構成してもよい。
【００１３】
図２（ｂ）は全ての可動表示装置７Ａ〜７Ｄを同一方向（平面視で反時計回り方向）へ４５度だけ回動させた状態を示している。この例では、全ての可動表示装置の表示面７ａが斜め前方を向いた不連続な状態となっており、個々の表示面を利用して奇抜な映像表現を実現することが可能となる。
図２（ｃ）は、図２（ｂ）の状態にある各可動表示装置のうちの、左側の２個の可動表示装置７Ａ、７Ｂと、右側の２個の可動表示装置７Ｃ、７ＤがＶ字状に交差するように、第２の可動表示装置７Ｂと、第４の可動表示装置７Ｄを夫々時計回り方向へ４５度回動させている。この状態では、全ての可動表示装置の表示面７ａが斜め前方を向きつつほぼ連続した画面を形成しており、個々の表示面を利用して奇抜な映像表現を実現することが可能となる。
図２（ｄ）は、図２（ｂ）の状態にある各可動表示装置のうちの、右側の２個の可動表示装置７Ｃ、７Ｄを夫々時計回り方向へ９０度回動させた状態を示している。この状態では、全ての可動表示装置の表示面７ａが斜め前方を向いた不連続な画面を形成しており、個々の表示面を利用して奇抜な映像表現を実現することが可能となる。
【００１４】
図２（ｅ）は、図２（ｄ）は、図２（ａ）の状態にある全ての可動表示装置７Ａ〜７Ｄを９０度回動させることにより各表示面７ａが横方向を向くようにしたものである。この状態では、全ての可動表示装置の表示面７ａを前方から視認することができない。この際、背面側に他の表示装置４０や、図示しない役物を配置することにより、各可動表示装置間の間隙からこれらの表示装置４０上に表示された映像や、役物を視認することができる。各可動表示装置と他の表示装置４０とによって多数の画面を構築できるため、ダイナミックな映像を表出して遊技上の雰囲気作りに貢献することができる。
なお、上記実施形態では、各可動表示装置７Ａ〜７Ｄの一面にのみ液晶の表示面７ａを設けたが、裏面に液晶の表示面を設けても良い。各可動表示装置の表裏両面に表示面を設けた場合には、更に多様な演出が可能となる。
或いは、各可動表示装置の裏面を鏡面としたり、絵柄を描いた面としたり、或いはＬＥＤを配置した面としてもよい。
また、上記実施形態では、各可動表示装置７Ａ〜７Ｄを板状体としたが、図３に示すように各可動表示装置７Ａ〜７Ｄを多角柱状、本例では三角柱状に構成して軸３１によって回動するように構成している。この場合、表示面７ａの他の２つの面７ｂ、７ｃのうちの少なくとも一方を液晶の表示面としてもよいし、絵柄を描いた面、鏡面、或いはＬＥＤを搭載した面としてもよい。
【００１５】
次に、図４（ａ）乃至（ｃ）は本発明の他の実施形態に係る画像表示装置の構成を示す平面図であり、（ｄ）及び（ｅ）は要部構成説明図である。
この画像表示装置７は、各可動表示装置７Ａ〜７Ｄのうちの隣接する可動表示装置同志の隣接する端縁に設けた共通の軸部３１ｂによって軸支することによって屏風状（蛇腹状）に連結している。
第１の可動表示装置７Ａの左端に設けた軸部３１ａを空所２０の側壁により位置固定状態で軸支する一方で、第２乃至第４の可動表示装置７Ｂ〜７Ｄ間は夫々他の軸部３１ｂにより回動自在に軸支する。他の軸部３１ｂのうちの一部は空所２０の天面板２１、及び底面板２２に設けたガイドレール２１ａ、２２ａ（２２ａのみ図示）によって移動自在に支持する。
図４（ｄ）に示すように隣接する可動表示装置の端部間を共通の軸部３１ｂにより開閉自在に軸支したり、或いは（ｅ）に示すように隣接する可動表示装置の端部に夫々設けた軸部３１ｂ同志を連設板３１ｃにより連結することにより各可動表示装置を開閉自在に軸支する。
【００１６】
このように複数の可動表示装置を屏風状に連結して伸縮自在に構成することにより、図４（ａ）に示した如き最大展開状態では広い画面とすることができ、（ｂ）の如く収縮した状態では各可動表示装置同志がＷ字状に交差しているため各表示面７ａに表示された映像を立体的な映像として認識することができる。
図４（ｃ）のように完全に収納された状態では空所２０が開放されるため、空所内に配置した図示しない役物や他の表示装置を、遊技者は前方から視認することが可能となる。
なお、図５に示すように第１及び第２の可動表示装置７Ａ、７Ｂを屏風状に連結すると共に、第３及び第４の可動表示装置７Ｃ、７Ｄを屏風状に連結し、夫々の屏風状連結体を遊技盤により支持してもよい。
本例においても、各可動表示装置の背面側に、大面積の他の表示装置や、役物や、鏡面を配置することによって多様な演出を可能としてもよい。
屏風状に連結された可動表示装置を動作させるための駆動機構３０の構成は種々選択可能である。例えば、図２の例のように軸部３１に設けた従動ギヤをモータのギヤによって回転させるようにしてもよいし、モータからの駆動力をベルトを介して軸部に固定されたプーリに伝達させるようにしてもよい。
【００１７】
以上のように本発明では、複数個の可動表示装置を、同期して、或いは個別に異なったタイミングで回動させるように構成したので、遊技内容に意外性を発揮させたり、角度、姿勢を異ならせた表示装置を利用して立体的な映像を作出することができる。
特に、本発明では、複数の表示装置の表示面の角度を種々異ならせることができるので、従来のように平面的な同一表示面上において画像データを種々操作する場合とは異なり、立体感と、多様性と意外性を有した演出を実現することができ、更に制御プログラム等の装置構成を簡略化してコストダウンを図ることができる。
また、各可動表示装置が近接した位置においては一枚の表示装置としか見えないにも拘わらず、遊技の進行中に可動表示装置が複数に分割し、しかも各可動表示装置上の表示内容を工夫することにより、バリエーションに富んだ遊技内容を演出することが可能となる。
更に、複数に分割された可動表示装置を個別、或いは連動して動作させるばかりでなく、表示装置間の間隙奥部に他の表示装置を配置し、可動表示装置の離反時に他の表示装置が遊技盤前方から視認できるようにしたので、各可動表示装置に表示された画像と、可動表示装置間に配置された他の表示装置にとの協働によって多様な演出を実現することができる。
なお、本発明の可動画像表示装置に用いる表示装置としては、液晶表示装置、リアプロジェクタ、その他、任意の表示装置を採用することができる。
本発明の可動画像表示装置、或いは本発明の可動画像表示装置を備えた遊技盤は、パチンコ遊技機のみならず、スロットマシン、その他、表示装置を有した遊技機、ゲーム機一般に適用することができる。
【図面の簡単な説明】
【００１８】
【図１】本発明の実施形態に係るパチンコ遊技機の一例を示した全体正面図である。
【図２】（ａ）乃至（ｅ）は本発明の画像表示装置７の構成及び動作説明図である。
【図３】本発明の他の実施形態に係る画像表示装置の構成を示す平面図である。
【図４】（ａ）乃至（ｃ）は本発明の他の実施形態に係る画像表示装置の構成を示す平面図であり、（ｄ）及び（ｅ）は要部構成説明図である。
【図５】図４の変形例を示す説明図である。
【符号の説明】
【００１９】
１…パチンコ遊技機、３…遊技盤、３ａ…遊技領域、５…発射レバー、６…開口部、７…画像表示装置、７Ａ〜７Ｄ…可動表示装置、７ａ…表示面、７ｂ…他の面、８…可変入賞装置、９…ステージ部、１１…始動入賞口、１３…ゲート、１４…大入賞口、１５…アウト口、２０…空所、２１…天面板、２２…底面板、３０…駆動機構、３１…軸部、３２…従動ギヤ、３３…モータ、３４…出力軸、４０…表示装置
【図１】
2010029373.tif 000003
【図２】
2010029373.tif 000004
【図３】
2010029373.tif 000005
【図４】
2010029373.tif 000006
【図５】
2010029373.tif 000007